(57)【要約】【課題】遮光状態における検出信号を生成する。【解決手段】被測定体に光を照射する発光部と、受光強度に応じた検出信号を生成する受光部と、前記発光部から前記被測定体を経由して前記受光部に至る光路上に配置され、透過率がピークとなる波長が可変である第１波長範囲の光を透過させる第１分光部と、前記光路上に配置され、透過率がピークとなる波長が可変である第２波長範囲の光を透過させる第２分光部と、前記第１波長範囲と前記第２波長範囲とが重複する第１状態と、前記第１波長範囲と前記第２波長範囲とが重複しない第２状態とが切り替わるように前記第１分光部と前記第２分光部とを制御する制御部とを具備する分光装置。【選択図】図１
2019207109.tif 000002
【特許請求の範囲】
【請求項１】
被測定体に光を照射する発光部と、
受光強度に応じた検出信号を生成する受光部と、
前記発光部から前記被測定体を経由して前記受光部に至る光路上に配置され、透過率がピークとなる波長が可変である第１波長範囲の光を透過させる第１分光部と、
前記光路上に配置され、透過率がピークとなる波長が可変である第２波長範囲の光を透過させる第２分光部とを具備する分光装置を利用した分光方法であって、
前記第１波長範囲と前記第２波長範囲とが重複する第１状態と、前記第１波長範囲と前記第２波長範囲とが重複しない第２状態とが切り替わるように前記第１分光部と前記第２分光部とを制御する
分光方法。
【請求項２】
前記第１状態において生成された検出信号から分光スペクトルを特定し、
前記第２状態において生成された検出信号から補正値を特定し、
前記補正値を利用して前記分光スペクトルを補正する
請求項１の分光方法。
【請求項３】
前記第１状態においては、透過率がピークとなる波長が前記第１波長範囲と前記第２波長範囲とで一致する
請求項１または請求項２の分光方法。
【請求項４】
前記第１状態においては、透過率がピークとなる波長が前記第１波長範囲と前記第２波長範囲とで相違する
請求項１または請求項２の分光方法。
【請求項５】
被測定体に光を照射する発光部と、
受光強度に応じた検出信号を生成する受光部と、
前記発光部から前記被測定体を経由して前記受光部に至る光路上に配置され、透過率がピークとなる波長が可変である第１波長範囲の光を透過させる第１分光部と、
前記光路上に配置され、透過率がピークとなる波長が可変である第２波長範囲の光を透過させる第２分光部と、
前記第１波長範囲と前記第２波長範囲とが重複する第１状態と、前記第１波長範囲と前記第２波長範囲とが重複しない第２状態とが切り替わるように前記第１分光部と前記第２分光部とを制御する制御部とを具備する
分光装置。
【発明の詳細な説明】
【技術分野】
【０００１】
本発明は、特定の波長の光を分光するための技術に関する。
【背景技術】
【０００２】
例えば特定の波長の光を分光して検出する各種の技術が従来から提案されている。例えば特許文献１には、第１エタロンおよび第２エタロンを透過した所望の波長の透過光を検出する光学フィルターデバイスが開示されている。分光精度を向上させるために、第１エタロンと第２エタロンとに同一のピークに対応する波長の光を透過するように設定している。
【先行技術文献】
【特許文献】
【０００３】
【特許文献１】特開２０１３−０８３６８５号公報
【発明の概要】
【発明が解決しようとする課題】
【０００４】
しかし、特許文献１の技術では、遮光状態での信号が得られず、暗電流や外光に起因したノイズの影響を加味することができない。
【課題を解決するための手段】
【０００５】
以上の課題を解決するために、本発明の好適な態様に係る分光方法は、被測定体に光を照射する発光部と、受光強度に応じた検出信号を生成する受光部と、前記発光部から前記被測定体を経由して前記受光部に至る光路上に配置され、透過率がピークとなる波長が可変である第１波長範囲の光を透過させる第１分光部と、前記光路上に配置され、透過率がピークとなる波長が可変である第２波長範囲の光を透過させる第２分光部とを具備する分光装置を利用した分光方法であって、前記第１波長範囲と前記第２波長範囲とが重複する第１状態と、前記第１波長範囲と前記第２波長範囲とが重複しない第２状態とが切り替わるように前記第１分光部と前記第２分光部とを制御する。
本発明の好適な態様に係る分光装置は、被測定体に光を照射する発光部と、受光強度に応じた検出信号を生成する受光部と、前記発光部から前記被測定体を経由して前記受光部に至る光路上に配置され、透過率がピークとなる波長が可変である第１波長範囲の光を透過させる第１分光部と、前記光路上に配置され、透過率がピークとなる波長が可変である第２波長範囲の光を透過させる第２分光部と、前記第１波長範囲と前記第２波長範囲とが重複する第１状態と、前記第１波長範囲と前記第２波長範囲とが重複しない第２状態とが切り替わるように前記第１分光部と前記第２分光部とを制御する制御部とを具備する。
【図面の簡単な説明】
【０００６】
【図１】本発明の第１実施形態に係る生体解析装置の構成図である。
【図２】第１状態における透過特性を示す説明図である。
【図３】第２状態における透過特性を示す説明図である。
【図４】制御装置の処理のフローチャートである。
【図５】第２実施形態に係る第１状態における透過特性を示す説明図である。
【図６】目標波長に対するピーク波長のシフト量と合成特性との関係を示す説明図である。
【図７】変形例における生体解析装置の構成図である。
【図８】変形例における生体解析装置の構成図である。
【図９】変形例における生体解析装置の構成図である。
【発明を実施するための形態】
【０００７】
＜第１実施形態＞
図１は、本発明の第１実施形態に係る生体解析装置１００の構成図である。生体解析装置１００は、被験者の生体指標を非侵襲的に測定する測定機器である。例えば被験者の血糖値（グルコース濃度）が生体指標として例示される。なお、生体指標は血糖値に限定されない。例えば、被験者のヘモグロビン濃度，血中酸素濃度，中性脂肪濃度等の各種の血液成分濃度を生体指標としてもよい。被験者の身体のうち測定対象となる部位（以下「測定部位」という）Ｈに光Ｌを照射することで、血糖値が測定される。測定部位Ｈ（被測定体の一例）は、例えば掌、指、手首または上腕である。
【０００８】
生体解析装置１００は、分光装置２０と制御装置３０と記憶装置４０と表示装置５０とを具備する。制御装置３０は、ＣＰＵ（Central Processing Unit）またはＦＰＧＡ（Field-Programmable Gate Array）等の演算処理装置であり、生体解析装置１００の全体を制御する。なお、制御装置３０の機能を複数の集積回路に分散した構成、または、制御装置３０の一部または全部の機能を専用の電子回路で実現した構成も採用され得る。
【０００９】
記憶装置４０は、例えば不揮発性の半導体メモリーで構成され、制御装置３０が実行するプログラムと制御装置３０が使用する各種のデータとを記憶する。なお、制御装置３０の機能を複数の集積回路に分散した構成、または、制御装置３０の一部または全部の機能を専用の電子回路で実現した構成も採用され得る。また、図１では制御装置３０と記憶装置４０とを別個の要素として図示したが、記憶装置４０を内包する制御装置３０を例えばＡＳＩＣ（Application Specific Integrated Circuit）等により実現することも可能である。
【００１０】
表示装置５０は、測定結果を含む各種の画像を制御装置３０による制御のもとで表示する。例えば液晶表示パネルが表示装置５０として好適に利用される。分光装置２０は、測定部位Ｈの状態に応じた検出信号を生成する光学センサーモジュールである。具体的には、分光装置２０は、発光部２１と帯域通過部２３と第１分光部２５と第２分光部２７と受光部２９とを具備する。
【００１１】
発光部２１は、測定部位Ｈに光Ｌを照射する光源である。例えばＬＥＤ（Light Emitting Diode）等の発光素子が発光部２１として好適である。制御装置３０による制御のもとで発光部２１が発光する。なお、相異なる波長の光Ｌを出射する複数の発光部２１を利用してもよい。
【００１２】
発光部２１から測定部位Ｈに入射した光Ｌは、測定部位Ｈの内部を通過しながら拡散反射を繰返したうえで生体の外部に出射する。具体的には、測定部位Ｈの内部に存在する動脈（例えば、上腕動脈、橈骨動脈または尺骨動脈）等の血管と血管内の血液とを通過した光Ｌが測定部位Ｈから出射する。
【００１３】
測定部位Ｈから出射した光Ｌが帯域通過部２３に入射して、帯域通過部２３を透過した光Ｌが第１分光部２５および第２分光部２７で分光される。第１分光部２５および第２分光部２７で分光された光Ｌが受光部２９で受光される。すなわち、発光部２１から測定部位Ｈを経由して受光部２９に至る光路（具体的には測定部位Ｈから受光部２９に至る光路）上に、帯域通過部２３と第１分光部２５と第２分光部２７とが配置される。
【００１４】
帯域通過部２３は、所定の通過帯域内の成分を選択的に透過させて、他の成分を遮光する光学フィルターである。例えば、屈折率が異なる複数の透過膜を積層した構造のバンドパスフィルターが帯域通過部２３として好適である。第１実施形態では、測定部位Ｈを通過した光Ｌのうち所定の通過帯域内の成分を透過させる。
【００１５】
帯域通過部２３を透過した光Ｌは、第１分光部２５および第２分光部２７に入射する。第１分光部２５と第２分光部２７との位置の前後は任意である。第１実施形態では、第１分光部２５が帯域通過部２３側に位置し、第２分光部２７が受光部２９側に位置する。各分光部は、特定の波長域（以下「波長可変範囲」という）内の光Ｌを選択的に透過させる。例えばファブリ・ペロー型干渉計（エタロン）が分光部として好適に利用される。第１分光部２５と第２分光部２７との構成または特性の異同は不問である。
【００１６】
第１分光部２５は、波長可変範囲において、透過率がピークとなる波長（以下「ピーク波長」という）λ1が可変である第１波長範囲Ｗ1の光Ｌを透過させる。第１波長範囲Ｗ1は、ピーク波長λ1を中心として透過率が所定値（例えば０％）を上回る範囲である。第２分光部２７は、波長可変範囲において、ピーク波長λ2が可変である第２波長範囲Ｗ2の光Ｌを透過させる。第２波長範囲Ｗ2は、ピーク波長λ2を中心として透過率が所定値（例えば０％）を上回る範囲である。第１実施形態では、第１波長範囲Ｗ1の範囲幅と第２波長範囲Ｗ2の範囲幅とは等しい。
【００１７】
ピーク波長（λ1，λ2）は、波長可変範囲内において可変である。波長可変範囲には、特定の干渉次数（例えば１次）に対応する透過率の複数のピークが存在する。波長可変範囲外には、波長可変範囲における干渉次数とは異なる干渉次数の透過率のピークが存在する。前述の帯域通過部２３は、波長可変範囲内の光Ｌを透過させ、波長可変範囲外の光を遮光する。
【００１８】
第１分光部２５と第２分光部２７とは、第１状態と第２状態とに制御される。制御装置３０（制御部３１）による制御のもとで、第１状態と第２状態とが切り換わる。なお、制御装置３０による制御の方法については後述する。
【００１９】
図２および図３には、第１分光部２５の透過特性Ｐ1および第２分光部２７の透過特性Ｐ2が実線で図示されている。図２は、第１状態における特性であり、図３は、第２状態における特性である。透過特性とは、光の波長に対する透過率の分布である。図２に例示される通り、第１状態は、第１波長範囲Ｗ1と第２波長範囲Ｗ2とが重複する状態である。第１実施形態では、ピーク波長λ1とピーク波長λ2とが一致（λ1＝λ2）する。ピーク波長は、目標の波長（以下「目標波長」という）に設定される。図２では、目標波長が１１００ｎｍである場合を例示する。図２には、第１分光部２５と第２分光部２７との全体的な透過特性（以下「合成特性」という）Ｐ0が破線で図示されている。第１状態における合成特性Ｐ0には、目標波長を中心として半値幅が狭く先鋭なピークが現れる。したがって、目標波長（すなわちピーク波長λ1，λ2）を含む局所的な光成分を抽出できる。すなわち、分光精度が向上する。
【００２０】
図３に例示される通り、第２状態は、第１波長範囲Ｗ1と第２波長範囲Ｗ2とが重複しない状態である。すなわち、ピーク波長λ1およびピーク波長λ2は相違する。第２状態では、発光部２１から受光部２９に向かう光Ｌ（具体的には帯域通過部２３から受光部２９に向かう光Ｌ）を遮光した状態（以下「遮光状態」という）になる。
【００２１】
図１の受光部２９は、受光強度に応じた検出信号を生成する。例えば、受光強度に応じた電荷を発生するフォトダイオード（ＰＤ：Photo Diode）等の受光素子が受光部２９として利用される。近赤外光に受光感度を示すＩｎＧａＡｓ（インジウムガリウム砒素）で光電変換層が形成された受光素子が好適である。
【００２２】
第１状態において、受光部２９は、第１分光部２５および第２分光部２７を透過した光Ｌの受光強度に応じた検出信号Ｓ1を生成する。すなわち、測定部位Ｈの内部を通過した光Ｌの受光強度に応じた検出信号Ｓ1が生成される。上述した通り、第１状態では、目標波長を含む局所的な光成分を抽出できるから、目標波長を含む光成分の受光強度に応じた検出信号Ｓ1が高精度に生成される。
【００２３】
他方、第２状態（すなわち遮光状態）において、受光部２９は検出信号Ｓ2を生成する。すなわち、第２状態では、暗電流や外光に起因したノイズを表す検出信号Ｓ2が生成される。
【００２４】
第１実施形態の分光装置２０は、発光部２１と受光部２９とが測定部位Ｈからみて一方側に位置する反射型の光学センサーモジュールである。ただし、発光部２１と受光部２９とが測定部位Ｈを挟んで反対側に位置する透過型の光学センサーを分光装置２０として利用してもよい。なお、分光装置２０は、受光部２９の出力信号を増幅およびＡ/Ｄ変換する出力回路（例えば増幅回路とＡ/Ｄ変換器）を包含するが、図１では各回路の図示を省略した。
【００２５】
図１の制御装置３０は、記憶装置４０に記憶されたプログラムを実行することで、血糖値を算定するための複数の機能（制御部３１，処理部３３，補正部３５および算定部３７）を実現する。制御部３１は、第１分光部２５および第２分光部２７に印加する制御電圧を制御する。具体的には、波長可変範囲に対応する範囲内で変化する制御電圧を各分光部（２５，２７）に供給する。例えば、制御電圧が大きい場合にはピーク波長が小さくなり、制御電圧が小さい場合にはピーク波長が大きくなる。
【００２６】
第１実施形態の制御部３１は、第１状態と第２状態とが切り替わるように第１分光部２５と第２分光部２７とを制御する。第１に、制御部３１は、第１波長範囲Ｗ1と第２波長範囲Ｗ2とが重複するように（すなわち第１状態になるように）、第１分光部２５および第２分光部２７の制御電圧を制御する。第１実施形態では、第１分光部２５のピーク波長λ1と第２分光部２７のピーク波長λ2とが目標波長に一致するように制御電圧が制御される。図２では、第１波長範囲Ｗ1と第２波長範囲Ｗ2とが１０２５ｎｍ〜１１７５ｎｍの範囲内で重複し、かつ、ピーク波長λ１とピーク波長λ2とが１１００ｎｍ（目標波長）で一致するように、制御電圧を制御した場合が例示されている。以上に例示した制御電圧の制御を複数の目標波長の各々について実行することで、波長可変範囲内の複数の目標波長のそれぞれに対応する受光強度が特定される。すなわち、受光部２９は、第１状態において、複数の目標波長に対応した光Ｌの受光強度に応じた検出信号Ｓ1を生成する。
【００２７】
第２に、制御部３１は、第１波長範囲Ｗ1と第２波長範囲Ｗ2とが重複しないように（すなわち第２状態になるように）、第１分光部２５および第２分光部２７の制御電圧を制御する。図３では、ピーク波長λ1が１０００ｎｍである第１波長範囲Ｗ1が９５０ｎｍ〜１０５０ｎｍであり、ピーク波長λ2が１２００ｎｍである第２波長範囲Ｗ2が１１５０ｎｍ〜１２５０ｎｍになるように、制御電圧を制御した場合が例示されている。
【００２８】
図１の処理部３３は、受光部２９が生成した検出信号からスペクトルを特定する。第１に、処理部３３は、第１状態において生成された検出信号Ｓ1から分光スペクトル（透過スペクトル）Ｚ1を特定する。具体的には、複数の目標波長について第１状態でそれぞれ特定された複数の受光強度の系列が分光スペクトルＺ1として特定される。第２に、処理部３３は、第２状態において生成された検出信号Ｓ2から補正値Ｚ2を特定する。補正値Ｚ2は、例えば第２状態における検出信号Ｓ2の信号強度である。
【００２９】
なお、実際には、参照体に光Ｌを照射したときの分光スペクトル（以下「参照スペクトル」という）が事前に測定される。処理部３３は、第１状態において測定部位Ｈに光Ｌを照射したときの検出信号Ｓ1から特定された分光スペクトルを、参照スペクトルにより補正することで分光スペクトルＺ1を特定する。参照体は、測定部位Ｈと対比される物体である。例えば、光の波長域内で反射率が均等である物体、または、標準的な生体の光学特性を有する物体が参照体として好適に利用される。
【００３０】
補正部３５は、補正値Ｚ2を利用して分光スペクトルＺ1を補正することで、補正分光スペクトルＺ3を生成する。すなわち、暗電流や外光に起因したノイズを除去した補正分光スペクトルＺ3が生成される。例えば、分光スペクトルＺ1から補正値Ｚ2を差し引くことで補正分光スペクトルＺ3が生成される。
【００３１】
算定部３７は、補正部３５が生成した補正分光スペクトルＺ3から血糖値を算定する。具体的には、算定部３７は、補正分光スペクトルＺ3から吸光スペクトルを生成し、当該吸光スペクトルから血糖値を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示装置５０は、算定部３７が算定した血糖値を表示する。
【００３２】
図４は、生体解析装置１００が血糖値を測定する処理のフローチャートである。例えば利用者からの測定の指示を契機として図４の処理が開始される。図４の処理が開始されると、制御部３１は、第２状態になるように第１分光部２５と第２分光部２７とを制御する（Ｓa1）。第２状態において検出信号Ｓ2が生成される。処理部３３は、検出信号Ｓ2から補正値Ｚ2を特定する（Ｓa2）。制御部３１は、第１状態になるように第１分光部２５と第２分光部２７とを制御する（Ｓa3）。第１状態において検出信号Ｓ1が生成される。ステップＳa3の処理は、複数の目標波長のそれぞれについて繰り返し実行される。すなわち、複数の目標波長のそれぞれについて複数の検出信号Ｓ1が生成される。処理部３３は、複数の検出信号Ｓ1から分光スペクトルＺ1を特定する（Ｓa4）。補正部３５は、補正値Ｚ2を利用して分光スペクトルＺ1を補正することで、補正分光スペクトルＺ3を特定する（Ｓa5）。算定部３７は、補正分光スペクトルＺ3から血糖値を算定する（Ｓa6）。算定部３７は、血糖値を表示装置５０に表示させる（Ｓa7）。なお、ステップＳa1およびＳa2の処理と、ステップＳa3およびＳa4の処理との順番の先後は問わない。
【００３３】
以上の説明から理解される通り、第１実施形態では、第１状態と第２状態とが切り替わるように第１分光部２５と第２分光部２７とが制御される。第１状態では、第１分光部２５および第２分光部２７を透過した光Ｌ（すなわち被測定体の内部を通過した光Ｌ）の受光強度に応じた検出信号Ｓ1が生成される。他方、第２状態では、発光部２１から受光部２９に向かう光Ｌを遮光した状態で検出信号Ｓ2が生成される。すなわち、暗電流や外光に起因したノイズを表す検出信号Ｓ2を生成できる。また、第１実施形態では、補正値Ｚ2を利用して分光スペクトルＺ1が補正されるから、ノイズを除去した補正分光スペクトルＺ3を生成することができる。
【００３４】
例えば、暗電流や外光に起因したノイズを表す検出信号を生成する方法には、機械式のシャッターを利用した遮光状態において検出信号を生成する方法（以下「対比例１」という）や、発光部を消灯した状態で検出信号を生成する方法（以下「対比例２」という）が想定される。しかし、対比例１のもとでは、シャッターの振動が分光部に伝わることで、分光部の透過特性に影響を与えるという問題がある。また、対比例２のもとでは、発光の開始直後は、発光部による発光の特性（例えば光量）が不安定に変動する可能性がある。したがって、対比例２では、発光の特性が安定してから検出信号を生成する必要があり、検出信号の生成に時間がかかるという問題がある。それに対して、第１実施形態では、第１分光部２５と第２分光部２７とを第２状態にすることで遮光状態が得られるので、対比例１および対比例２と比較して、分光部の透過特性に影響を与えることなく、短時間で検出信号Ｓ1を生成できるという利点がある。
【００３５】
なお、分光部は制御電圧を印加していない状態でも特定の波長に対応する光を透過する性質があるため、分光部が単独の構成のもとでは遮光状態を得ることができない。
【００３６】
＜第２実施形態＞
本発明の第２実施形態を説明する。なお、以下に例示する各形態において作用または機能が第１実施形態と同様である要素については、第１実施形態の説明で使用した符号を流用して各々の詳細な説明を適宜に省略する。
【００３７】
図５には、第２実施形態に係る第１状態における第１分光部２５の透過特性Ｐ1および第２分光部２７の透過特性Ｐ2が実線で図示されている。第１実施形態の第１状態においては、ピーク波長λ1とピーク波長λ2とが一致（λ1＝λ2）する。それに対して、図５に例示される通り、第２実施形態の第１状態においては、ピーク波長λ1とピーク波長λ2とが相違（λ1≠λ2）する。すなわち、第１波長範囲Ｗ1と第２波長範囲Ｗ2とが部分的に重複する。以上の説明から理解される通り、第１状態には、第１波長範囲Ｗ1と第２波長範囲Ｗ2とが重複する状態のもとで、ピーク波長が第１状態と第２状態で一致する場合（第１実施形態）と、第１状態と第２状態とで相違する場合（第２実施形態）との双方が含まれる。第２状態については、第１実施形態と同様である。
【００３８】
第２実施形態の制御部３１は、第１実施形態と同様に、第１状態と第２状態とが切り替わるように第１分光部２５および第２分光部２７を制御する。第１に、制御部３１は、第１波長範囲Ｗ1と第２波長範囲Ｗ2とが重複し、かつ、ピーク波長λ1とピーク波長λ2とが相違する状態（すなわち第１状態）になるように、第１分光部２５および第２分光部２７の制御電圧を制御する。具体的には、ピーク波長λ1とピーク波長λ2との各々が目標波長に対して正側および負側に所定の波長（以下「シフト量」という）Δだけシフトするように、制御電圧が制御される。図５では、目標波長を１１００ｎｍとして、ピーク波長λ1を負側に５ｎｍだけシフト（λ1＝１０９５ｎｍ）させ、ピーク波長λ2を正側に５ｎｍだけシフト（λ2＝１１０５ｎｍ）させた場合を例示している。また、制御部３１は、第１実施形態と同様に、第２状態になるように、第１分光部２５および第２分光部２７の制御電圧を制御する。
【００３９】
図５には、第２実施形態に係る第１状態の合成特性Ｐ0が破線で図示されている。第２実施形態に係る第１状態では、合成特性Ｐ0には、第１分光部２５と第２分光部２７とを単独で使用した場合と比較して、目標波長を中心として透過率が低減されたピークが現れる。したがって、発光部２１の発光強度が過大である場合でも適切な受光強度で受光部２９が光を受光することができる。
【００４０】
図６には、目標波長に対するピーク波長（λ1，λ2）のシフト量Δ（絶対値）と、第１分光部２５と第２分光部２７との合成特性Ｐ0との関係を示す説明図である。縦軸には、合成特性Ｐ0におけるピークの半値幅と、分光部を単独で使用した場合における透過率に対する合成特性Ｐ0における透過率の比（以下「透過率比」という）とが図示されている。図６から理解される通り、シフト量Δに応じて半値幅（実線）および透過率比（破線）が変化する。半値幅は、シフト量Δが大きくなるにつれて広くなる。他方、透過率比は、シフト量Δが大きくなるにつれて小さくなる。以上の傾向を利用して適切なシフト量Δを選択することで、所望の合成特性Ｐ0が設定できる。第２実施形態では、シフト量Δを５ｎｍにしたことにより、半値幅が２０ｎｍで透過率比が３５％である合成特性Ｐ0が得られた。なお、シフト量Δは、合成特性Ｐ0のピークの単峰性が確保できる程度に設定される。
【００４１】
第２実施形態においても、第１実施形態と同様に、第１状態において生成された検出信号Ｓ1と、第２状態において生成された検出信号Ｓ2とから血糖値が算定される。
【００４２】
第２実施形態においても第１実施形態と同様の効果が実現される。第２実施形態では、第１状態においてピーク波長λ1とピーク波長λ2とが相違するから、第１状態において、第１分光部２５と第２分光部２７との全体的な透過特性には、第１分光部２５と第２分光部２７とを単独で使用した場合と比較して、透過率が低減されたピークが現れる。したがって、発光部２１の発光強度が過大である場合でも適切な受光強度で受光部２９が光を受光することができるという利点がある。
【００４３】
一方で、第１状態においてピーク波長λ1とピーク波長λ2とが一致する第１実施形態の構成によれば、第１状態において、第１分光部２５と第２分光部２７との全体的な透過特性には半値幅が狭く先鋭なピークが現れる。したがって、目標波長を含む局所的な光成分を抽出できるという利点がある。
【００４４】
なお、第２実施形態では、ピーク波長λ1を負の方向にシフトさせ、ピーク波長λ2を正の方向にシフトさせたが、ピーク波長λ1とピーク波長λ2とをシフトさせる方向は逆でもよい。また、ピーク波長λ1のシフト量Δとピーク波長λ2のシフト量Δとを一致させたが、相違していてもよい。
【００４５】
第１実施形態では、第１状態においてピーク波長λ1とピーク波長λ2とが一致する構成を例示し、第１実施形態では、第１状態においてピーク波長λ1とピーク波長λ2とが相違する構成を例示したが、第１実施形態と第２実施形態との構成を組み合わせて使用してもよい。すなわち、ピーク波長λ1とピーク波長λ2とが一致する第１状態と、ピーク波長λ1とピーク波長λ2とが相違する第１状態と、第２状態とを切り換えて使用してもよい。
【００４６】
＜変形例＞
以上に例示した各形態は多様に変形され得る。具体的な変形の態様を以下に例示する。以下の例示から任意に選択された２以上の態様を適宜に併合することも可能である。
【００４７】
（１）前述の各形態では、第１波長範囲Ｗ1の範囲幅と第２波長範囲Ｗ2の範囲幅とは等しい構成を例示したが、第１波長範囲Ｗ1の範囲幅と第２波長範囲Ｗ2の範囲幅とが相違してもよい。第１状態においてはピーク波長λ1とピーク波長λ2とが一致する場合と相違する場合とが想定されるが、第１波長範囲Ｗ1と第２波長範囲Ｗ2とが重複する態様は、第１波長範囲Ｗ1の範囲幅と第２波長範囲Ｗ2の範囲幅とに応じて任意に変更し得る。例えば、第１波長範囲Ｗ1と第２波長範囲Ｗ2とが完全に一致する場合、部分的に一致する場合、または、第１波長範囲Ｗ1および第２波長範囲Ｗ2の一方が他方に内包される包含関係にある場合が想定される。
【００４８】
（２）前述の各形態において、生体を測定対象として例示したが、測定対象となる被測定体は生体に限定されない。例えば分析または試験等に使用される試料を被測定体としてもよい。なお、前述の生体解析装置１００は、被測定体の状態を表す指標を算定する解析装置の一例である。
【００４９】
（３）前述の各形態では、測定部位Ｈから受光部２９に到達する光路上に第１分光部２５および第２分光部２７を設置する構成（すなわち後分光）を例示したが、発光部２１から測定部位Ｈに到達する光路上に第１分光部２５および第２分光部２７を設置する構成（すなわち前分光）も採用され得る。また、第１分光部２５および第２分光部２７の何れか一方を測定部位Ｈから受光部２９に到達する光路上に設置し、他方を発光部２１から測定部位Ｈに到達する光路上に設置してもよい。
【００５０】
（４）前述の各形態では、２個の分光部（第１分光部２５および第２分光部２７）を分光装置２０が具備する構成を例示したが、分光装置２０が具備する分光部の個数は２個以上であれば任意である。例えば、３個の分光部を具備する構成では、３個の分光部の波長範囲を重複させることで第１状態が実現され、少なくとも２個の分光部の波長範囲を重複させないことで第２状態が実現される。
【００５１】
（５）前述の各形態では、分光装置２０が帯域通過部２３を具備したが、帯域通過部２３を省略してもよい。また、前述の各形態では、測定部位Ｈから受光部２９に到達する光路上に帯域通過部２３を設置したが、発光部２１から測定部位Ｈに到達する光路上に帯域通過部２３を設置してもよい。
【００５２】
（６）前述の各形態では、単体の機器として構成された生体解析装置１００を例示したが、以下の例示の通り、生体解析装置１００の複数の要素は相互に別体の装置として実現され得る。なお、以下の説明では、制御装置３０で実現する要素を「演算部７０」と表記する。演算部７０は、例えば、図７に例示された要素（制御部３１，処理部３３，補正部３５，算定部３７）を包含する。
【００５３】
前述の各形態では、分光装置２０を具備する生体解析装置１００を例示したが、図７に例示される通り、分光装置２０を生体解析装置１００とは別体とした構成も想定される。生体解析装置１００は、例えば携帯電話機またはスマートフォン等の情報端末で実現される。腕時計型の情報端末で生体解析装置１００を実現してもよい。分光装置２０が生成した検出信号Ｓ（Ｓ1，Ｓ2）が有線または無線で生体解析装置１００に送信される。生体解析装置１００の演算部７０は、検出信号Ｓから血糖値を算定して表示装置５０に表示する。以上の説明から理解される通り、分光装置２０は生体解析装置１００から省略され得る。
【００５４】
前述の各形態では、表示装置５０を具備する生体解析装置１００を例示したが、図８に例示される通り、表示装置５０を生体解析装置１００とは別体とした構成も想定される。生体解析装置１００の演算部７０は、検出信号Ｓから血糖値を算定し、当該血糖値を表示するためのデータを表示装置５０に送信する。表示装置５０は、専用の表示機器であってもよいが、例えば、携帯電話機もしくはスマートフォン等の情報端末、または、被験者が携帯可能な腕時計型の情報端末に搭載されてもよい。生体解析装置１００の演算部７０が算定した血糖値は、有線または無線により表示装置５０に送信される。表示装置５０は、生体解析装置１００から受信した血糖値を表示する。以上の説明から理解される通り、表示装置５０は生体解析装置１００から省略され得る。
【００５５】
図９に例示される通り、分光装置２０および表示装置５０を生体解析装置１００（演算部７０）とは別体とした構成も想定される。例えば、生体解析装置１００（演算部７０）が、携帯電話機やスマートフォン等の情報端末に搭載される。なお、以上に例示した演算部７０から制御部３１および処理部３３の何れか一方または双方を省略してもよい。
【００５６】
（７）前述の各形態で例示した生体解析装置１００の具体的な形態は任意である。例えば、被験者の手首に装着可能な腕時計型、被験者の身体に貼付可能なパッチ型、被験者の耳部に装着可能な耳装着型、被験者の指先に装着可能な指装着型（例えば着爪型）、または、被験者の頭部に装着可能な頭部装着型など、任意の形態の生体解析装置１００が採用され得る。
【００５７】
（８）前述の各形態では、被験者の血糖値を表示装置５０に表示したが、血糖値を被験者に報知するための構成は以上の例示に限定されない。例えば、血糖値を音声で被験者に報知することも可能である。被験者の耳部に装着可能な耳装着型の生体解析装置１００においては、血糖値を音声で報知する構成が特に好適である。また、血糖値を被験者に報知することは必須ではない。例えば、生体解析装置１００が算定した血糖値を通信網から他の通信装置に送信してもよい。また、生体解析装置１００の記憶装置４０や生体解析装置１００に着脱可能な可搬型の記録媒体に血糖値を格納してもよい。
【００５８】
（９）前述の各形態に係る生体解析装置１００は、前述の例示の通り、制御装置３０とプログラムとの協働により実現される。本発明の好適な態様に係るプログラムは、コンピューターが読取可能な記録媒体に格納された形態で提供されてコンピューターにインストールされ得る。また、配信サーバーが具備する記録媒体に格納されたプログラムを、通信網を介した配信の形態でコンピューターに提供することも可能である。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体を包含し得る。なお、非一過性の記録媒体とは、一過性の伝搬信号（transitory, propagating signal）を除く任意の記録媒体を含み、揮発性の記録媒体を除外するものではない。
【符号の説明】
【００５９】
１００…生体解析装置、２０…分光装置、２１…発光部、２３…帯域通過部、２５…第１分光部、２７…第２分光部、２９…受光部、３０…制御装置、３１…制御部、３３…処理部、３５…補正部、３７…算定部、４０…記憶装置、５０…表示装置、７０…演算部。
【図１】
2019207109.tif 000003
【図２】
2019207109.tif 000004
【図３】
2019207109.tif 000005
【図４】
2019207109.tif 000006
【図５】
2019207109.tif 000007
【図６】
2019207109.tif 000008
【図７】
2019207109.tif 000009
【図８】
2019207109.tif 000010
【図９】
2019207109.tif 000011